(57)【要約】【課題】不在時の余分な電力消費を低減することができる省エネ機能付き照明装置を提供する。【解決手段】机上に設けられ、この机上面２に光を照射する照明光源１２を有する照明装置１０であって、机上面２の近傍における人の存在を感知する人感センサ１４を備え、照明光源１２は、人感センサ１４により人が感知されている場合に点灯し、人が感知されていない場合に消灯するようにする。送風用のファン１６をさらに備え、このファン１６は、人感センサ１４により人が感知されている場合に運転し、人が感知されていない場合に運転を停止するようにする。【選択図】図１
2011233370.tif 000002
【特許請求の範囲】
【請求項１】
机上に設けられ、この机上面に光を照射する照明光源を有する照明装置であって、
前記机上面の近傍における人の存在を感知する人感センサを備え、
前記照明光源は、前記人感センサにより人が感知されている場合に点灯し、人が感知されていない場合に消灯することを特徴とする省エネ機能付き照明装置。
【請求項２】
送風用のファンをさらに備え、このファンは、前記人感センサにより人が感知されている場合に運転し、人が感知されていない場合に運転を停止することを特徴とする請求項１に記載の省エネ機能付き照明装置。
【請求項３】
前記照明光源による照明光の色温度および明るさの少なくとも一方を調整する調光手段をさらに備えることを特徴とする請求項１または２に記載の省エネ機能付き照明装置。
【請求項４】
机上で用いるコンピュータ端末に接続可能なインターフェースをさらに備え、前記端末に接続した前記インターフェースを介して、前記人感センサにより人が感知されている場合に前記端末を休止させない非休止モード設定信号を前記端末に送信し、人が感知されていない場合に前記端末を休止させる休止モード設定信号を前記端末に送信することを特徴とする請求項１〜３のいずれか一つに記載の省エネ機能付き照明装置。
【請求項５】
前記インターフェースは、ＵＳＢインターフェースであることを特徴とする請求項４に記載の省エネ機能付き照明装置。
【請求項６】
外部機器の電源プラグを差し込み可能な電源コンセントをさらに備え、この電源コンセントは、前記人感センサにより人が感知されている場合に電源供給し、人が感知されていない場合に電源供給を停止することを特徴とする請求項１〜５のいずれか一つに記載の省エネ機能付き照明装置。
【請求項７】
スタンド式の照明装置であることを特徴とする請求項１〜６のいずれか一つに記載の省エネ機能付き照明装置。
【発明の詳細な説明】
【技術分野】
【０００１】
本発明は、省エネ機能付き照明装置に関するものである。
【背景技術】
【０００２】
従来、オフィスの机上には、パソコンや照明スタンド（例えば、特許文献１参照）が一般的に置かれている。
【０００３】
また、夏期に気流感による涼房を得るために、机上にファンを置く人もいる。省エネを考慮した場合、これらの機器は、在席の場合にのみ電源スイッチを入れることが好ましい。
【先行技術文献】
【特許文献】
【０００４】
【特許文献１】特開２００４−３１０７０８号公報
【発明の概要】
【発明が解決しようとする課題】
【０００５】
しかしながら、離席の際、机上の照明スタンドやファンの電源スイッチを切り忘れることがある。また、パソコンは通常、起動に時間がかかるため、電源スイッチを切らずに会議等のために離席する人が多い。離席中の照明スタンド等の机上機器の稼動は、無駄な電力消費となると同時に無駄な室内発熱となっている。この室内発熱は、空調負荷を増大させ、冷房用電力を増加させる原因となる。オフィスのパソコンや照明等によるコンセント負荷は、建物全体の電力消費量の２〜３割を占めることから、席に不在の時の余分な電力消費を低減するような省エネ技術の開発が求められていた。
【０００６】
本発明は、上記に鑑みてなされたものであって、不在時の余分な電力消費を低減することができる省エネ機能付き照明装置を提供することを目的とする。
【課題を解決するための手段】
【０００７】
上記した課題を解決し、目的を達成するために、本発明の請求項１に係る省エネ機能付き照明装置は、机上に設けられ、この机上面に光を照射する照明光源を有する照明装置であって、前記机上面の近傍における人の存在を感知する人感センサを備え、前記照明光源は、前記人感センサにより人が感知されている場合に点灯し、人が感知されていない場合に消灯することを特徴とする。
【０００８】
また、本発明の請求項２に係る省エネ機能付き照明装置は、上述した請求項１において、送風用のファンをさらに備え、このファンは、前記人感センサにより人が感知されている場合に運転し、人が感知されていない場合に運転を停止することを特徴とする。
【０００９】
また、本発明の請求項３に係る省エネ機能付き照明装置は、上述した請求項１または２において、前記照明光源による照明光の色温度および明るさの少なくとも一方を調整する調光手段をさらに備えることを特徴とする。
【００１０】
また、本発明の請求項４に係る省エネ機能付き照明装置は、上述した請求項１〜３のいずれか一つにおいて、机上で用いるコンピュータ端末に接続可能なインターフェースをさらに備え、前記端末に接続した前記インターフェースを介して、前記人感センサにより人が感知されている場合に前記端末を休止させない非休止モード設定信号を前記端末に送信し、人が感知されていない場合に前記端末を休止させる休止モード設定信号を前記端末に送信することを特徴とする。
【００１１】
また、本発明の請求項５に係る省エネ機能付き照明装置は、上述した請求項４において、前記インターフェースは、ＵＳＢインターフェースであることを特徴とする。
【００１２】
また、本発明の請求項６に係る省エネ機能付き照明装置は、上述した請求項１〜５のいずれか一つにおいて、外部機器の電源プラグを差し込み可能な電源コンセントをさらに備え、この電源コンセントは、前記人感センサにより人が感知されている場合に電源供給し、人が感知されていない場合に電源供給を停止することを特徴とする。
【００１３】
また、本発明の請求項７に係る省エネ機能付き照明装置は、上述した請求項１〜６のいずれか一つにおいて、スタンド式の照明装置であることを特徴とする。
【発明の効果】
【００１４】
本発明によれば、机上に設けられ、この机上面に光を照射する照明光源を有する照明装置であって、前記机上面の近傍における人の存在を感知する人感センサを備え、前記照明光源は、前記人感センサにより人が感知されている場合に点灯し、人が感知されていない場合に消灯するので、不在時の余分な電力消費を低減することができるという効果を奏する。
【図面の簡単な説明】
【００１５】
【図１】図１は、本発明の実施の形態１に係る省エネ機能付き照明装置を示す斜視図である。
【図２】図２は、本発明の実施の形態１の構成図である。
【図３】図３は、本発明の実施の形態２に係る省エネ機能付き照明装置を示す斜視図である。
【図４】図４は、本発明の実施の形態２の灯具の下面図である。
【図５】図５は、本発明の実施の形態２の灯具の側面図である。
【図６】図６は、本発明の実施の形態２の灯具の上面図である。
【発明を実施するための形態】
【００１６】
以下に、本発明に係る省エネ機能付き照明装置の実施例（実施の形態１および２）を図面に基づいて詳細に説明する。なお、この実施例によりこの発明が限定されるものではない。
【００１７】
［実施の形態１：スタンド式照明装置］
まず、本発明の実施の形態１について説明する。図１は、本発明の実施の形態１に係る省エネ機能付き照明装置を示す斜視図である。図２は、本発明の実施の形態１の構成図である。
【００１８】
図１および図２に示すように、本発明の実施の形態１に係る省エネ機能付き照明装置１０は、机上に設けられる一体型のスタンド式照明装置であり、ベース２８と、ベース２８上に設けた柱状のファン用ハウジング３０と、ハウジング３０上端に回転自在に固定されたアーム３２と、アーム３２端部に設けた灯具３４とからなり、ＡＣアダプタ４６を介して電源供給を受け稼動するものである。
【００１９】
この省エネ機能付き照明装置１０は、机上面２に光を照射する照明光源１２と、机上面２の近傍における人の存在を感知する人感センサ１４と、人に風を送り出すためのファン１６と、机上で用いるパソコン２０（コンピュータ端末）のＵＳＢポートに接続可能なＵＳＢコネクタ２２（ＵＳＢインターフェース）と、外部機器２４の電源プラグを差し込み可能な電源コンセント２６とを備える。
【００２０】
照明光源１２は、ＬＥＤや蛍光灯などのその他の光源で構成してあり、灯具３４に設けてある。この照明光源１２は、人感センサ１４により机上面２の近傍における人の存在が感知されている場合に点灯し、人の存在が感知されていない場合に消灯するように構成してある。この場合、所定時間だけ在席または不在であることを感知した場合に、照明光源１２の点灯・消灯を制御するようにしてもよい。照明光源１２は、ベース２８に設けた照明スイッチ４２を押圧操作することでオン・オフすることができる。
【００２１】
省エネ機能付き照明装置１０は、照明光源１２の照明光の色温度や明るさ（輝度）を変更調整するための調光手段１８をさらに備える。照明光源１２による照明光は、ベース２８に設けた色温度変化用スイッチ４４を押圧操作することで調光手段１８を操作し、その色温度や明るさ（輝度）を調整することができる。
【００２２】
人感センサ１４は、机の座席の在席の有無を感知するセンサであり、灯具３４に設けてある。人感センサ１４は、人の体温を感知するものが好適であり、省エネ機能付き照明装置１０を机の左側や右側に設置した場合にも正常に機能するように、感知方向を調整可能なものを用いることができる。また、所定時間だけ在席または不在であることを感知した場合に、感知したことを示す信号を照明光源１２やファン１６等に発信するようにしてもよい。
【００２３】
ファン１６は、冷房不足を感じる時などに、机の座席に座っている人の上半身に風を送るためのものであり、ハウジング３０の内部に設けられる。ファン１６は、人感センサ１４により人が感知されている場合に運転し、人が感知されていない場合に運転を停止するように構成してある。この場合、所定時間だけ在席または不在であることを感知した場合に、ファン１６の運転・停止を制御するようにしてもよい。ファン１６は、ベース２８に設けたファンスイッチ４０を押圧操作することでオン・オフすることができる。
【００２４】
ハウジング３０内部のファン１６が回転すると、ハウジング３０の外周の一部に設けた空気吸い込みグリル３６から空気を吸い込んで、上下に長く開口した空気吹き出し口３８から風を吹き出す。ファン１６の形式は、クロスファン、シロッコファン、軸流ファンなど様々な形式とすることができる。
【００２５】
なお、ハウジング３０は、上下軸周りに回転自在にベース２８に固定されており、ハウジング３０の回転位置を手動で左右に調整することで空気吹き出し口３８から吹き出される風向きを左右に調整することができる。
【００２６】
ＵＳＢコネクタ２２（ＵＳＢインターフェース）は、接続してあるパソコン２０の状態を変更するための信号を送信するために用いられる。このＵＳＢコネクタ２２は、人感センサ１４により人が感知されている場合にパソコン２０を休止させない非休止モード設定信号をパソコン２０に送信し、人が感知されていない場合にパソコン２０を休止させる休止モード設定信号をパソコン２０に送信する。
【００２７】
例えば、人が離席して、パソコン２０がＵＳＢコネクタ２２を介して非休止モード設定信号を受信すると、パソコン２０は稼動状態を維持し、休止モード設定信号を受信すると、パソコン２０は稼動状態を停止して消費電力を節減するのに適した休止状態となる。
【００２８】
なお、パソコン２０の消費電力を節減制御するために用いるインターフェースは、パソコン２０に休止モード設定信号を出すことが可能なインターフェースであればよく、例えば、ＵＳＢインターフェース２２の代わりに無線ＬＡＮ信号を用いたインターフェースや、ブルートゥースなどのインターフェースを用いることもできる。
【００２９】
なお、パソコンは、通常、非稼動状態が所定時間経過した後に自動的に休止状態になるように設定可能であるが、この設定を行っていない人もいる。一方、最近のオフィスではセキュリティー上の観点からネットワーク上で各人のパソコンの監視が行われるようになってきている。このため、必要に応じて各人のパソコン２０に常駐型のプログラムを格納しておき、休止モード設定信号および非休止モード設定信号を処理できるようにしておけば、オフィス使用電力の省エネルギー化をより確実に推進することが可能になる。
【００３０】
また、パソコン２０に格納したプログラムによる操作（あるいは、ネット経由による遠隔操作）により、照明光源１２のオン・オフ、照明光の色温度および明るさ、ファン１６のオン・オフ、回転数などを調整できるような機能を持たせてもよい。
【００３１】
また、人感センサ１４がなく、パソコン２０が所定の時刻に自動的に休止状態になった場合に、ＵＳＢコネクタ２２などによるインターフェースからの信号を受けて、照明光源１２とファン１６の電源が自動的にオフになる機能を持たせてもよい。
【００３２】
電源コンセント２６は、外部機器２４に対して電源供給するためのものであり、ハウジング３０の下部に設けられる。この電源コンセント２６は、人感センサ１４に連動しており、人感センサ１４により人が感知されている場合に外部機器２４への電源供給を行い、人が感知されていない場合に外部機器２４への電源供給を停止するように構成してある。このため、電源コンセント２６に接続してある外部機器２４の電源は、在席時にはオンされ、不在時にはオフされることとなる。
【００３３】
上記構成の動作および作用について説明する。
人感センサ１４により、例えば、座席に１０分以上不在であると感知された場合には、照明光源１２の電源スイッチをオフにして消灯するとともに、ファン１６の電源スイッチをオフにして運転を停止する。また、ＵＳＢコネクタ２２を介して接続してあるパソコン２０に休止モード設定信号を出力する。こうすることで、パソコン２０の稼動状態が休止モードに設定され得る。
【００３４】
このように、本実施の形態１によれば、人感センサ１４からの感知信号に基づいて、不在時に照明光源１２やファン１６の電源を自動的にオフにすることができるので、不在時の余分な電力消費を自動的に抑えることができる。また、夏期には室内発熱を減らすことで冷房用電力を減らすことができ、省エネルギーを図ることができる。
【００３５】
［実施の形態２：クランプ式照明装置］
次に、本発明の実施の形態２について説明する。図３は、本発明の実施の形態２に係る省エネ機能付き照明装置を示す斜視図である。図４〜図６は、灯具を示す図である。なお、上記の実施の形態１で説明した部材と同一の部材については同じ符号を付して表すものとし、機能等についての詳細な説明を省略する。
【００３６】
図３および図４〜図６に示すように、本発明の実施の形態２に係る省エネ機能付き照明装置は、机の縁に挟み付けて固定するクランプ機構４８を下部に有するクランプ式照明装置であり、ポール５０と、ポール５０上端に回転自在に固定されたアーム５２と、アーム５２端部に回転自在に設けた支柱５６と、支柱５６端部に設けた灯具５４とからなり、ＡＣアダプタ４６を介して電源供給を受け稼動する。
【００３７】
照明光源１２、人感センサ１４およびファン１６は、灯具５４に設けてある。ファン１６は、灯具５４の下面側から空気を吸い込んで、灯具５４の側面に設けたベーン付きの空気吹き出し口５８から空気を吹き出すようにしてある。また、ファン１６用のファンスイッチ４０および照明光源１２用の照明スイッチ４２は、灯具５４の上面の端部に設けてある。また、電源コンセント２６は、クランプ機構４８から延びる延長ケーブルの端部に設けてある。
【００３８】
本実施の形態２によれば、人感センサ１４からの感知信号に基づいて、不在時に照明光源１２やファン１６の電源を自動的にオフにすることができる。このため、不在時の余分な電力消費を自動的に抑えることができる。また、夏期には室内発熱を減らすことで冷房用電力を減らすことができ、省エネルギーを図ることができる。
【００３９】
上記の実施の形態１、２において、スタンド式およびクランプ式の照明装置を例にとり説明したが、本発明の省エネ機能付き照明装置はこうした形態に限定するものではなく、パネル式の照明装置であってもよい。
【００４０】
また、建物内の照明空間における人の有無やパソコンの休止モードの有無などを検知することによって、建物のセキュリティーセンター等が建物空間の在席人数や照明装置の使用状況を判断する場合がある。このために用いるセンサーノードの役割を果たす１つの装置として、本発明の省エネ機能付き照明装置を用いることができる。
【００４１】
以上説明したように、本発明によれば、机上に設けられ、この机上面に光を照射する照明光源を有する照明装置であって、前記机上面の近傍における人の存在を感知する人感センサを備え、前記照明光源は、前記人感センサにより人が感知されている場合に点灯し、人が感知されていない場合に消灯するので、不在時の余分な電力消費を低減することができる。
【産業上の利用可能性】
【００４２】
以上のように、本発明に係る省エネ機能付き照明装置は、オフィス等の机上に設けられる照明装置に有用であり、特に、離席した時の余分な電力消費を抑制するのに適している。
【符号の説明】
【００４３】
１０  省エネ機能付き照明装置
１２  照明光源
１４  人感センサ
１６  ファン
１８  調光手段
２０  パソコン（コンピュータ端末）
２２  ＵＳＢコネクタ（ＵＳＢインターフェース）
２４  外部機器
２６  電源コンセント
２８  ベース
３０  ファン用ハウジング
３２，５２  アーム
３４，５４  灯具
３６  空気吸い込みグリル
３８，５８  空気吹き出し口
４０  ファンスイッチ
４２  照明スイッチ
４４  色温度変化用スイッチ
４６  ＡＣアダプタ
４８  クランプ機構
５０  ポール
５６  支柱
【図１】
2011233370.tif 000003
【図２】
2011233370.tif 000004
【図３】
2011233370.tif 000005
【図４】
2011233370.tif 000006
【図５】
2011233370.tif 000007
【図６】
2011233370.tif 000008